(57)【要約】      （修正有）【課題】内部にロール状の衛生用薄葉紙又は積層状の衛生用薄葉紙のどちらを収納しても使用することができる衛生用薄葉紙収納容器を提供する。【解決手段】衛生用薄葉紙を内部に収納する容器本体１１と、容器本体１１に着脱自在に取り付けられる蓋本体２１と、を備える衛生用薄葉紙収納容器であって、容器本体１１は、側面に第１孔部を有し、容器本体１１内に収納された積層状の衛生用薄葉紙を取り出すための第１取出孔１２ｃを有し、第１取出孔１２ｃが第１孔部と重なるように容器本体１１に取り付けられる第１取出部１２を備え、蓋本体２１は、第２孔部を有し、容器本体１１内に収納されたロール状の衛生用薄葉紙を取り出すための第２取出孔２２ｃを有し、第２取出孔２２ｃが第２孔部と重なるように蓋本体２１に取り付けられる第２取出部２２を備える。【選択図】図１
2018140812.tif 000002
【特許請求の範囲】
【請求項１】
衛生用薄葉紙を内部に収納する容器本体と、前記容器本体に着脱自在に取り付けられる蓋体と、を備える衛生用薄葉紙収納容器であって、
前記容器本体は、側面に第１孔部を有し、
前記容器本体内に収納された積層状の衛生用薄葉紙を取り出すための第１取出孔を有し、当該第１取出孔が前記第１孔部と重なるように前記容器本体に取り付けられる第１取出部を備え、
前記蓋体は、第２孔部を有し、
前記容器本体内に収納されたロール状の衛生用薄葉紙を取り出すための第２取出孔を有し、当該第２取出孔が前記第２孔部と重なるように前記蓋体に取り付けられる第２取出部を備えることを特徴とする衛生用薄葉紙収納容器。
【請求項２】
前記第１取出孔は、前記第２取出孔と比較して開口面積が広くなるように形成されていることを特徴とする請求項１に記載の衛生用薄葉紙収納容器。
【請求項３】
前記第２取出孔は、一又は複数の切り込みによって形成されていることを特徴とする請求項２に記載の衛生用薄葉紙収納容器。
【請求項４】
前記容器本体の側面には、内側に変形可能な可塑部が形成されていることを特徴とする請求項１から３のいずれか一項に記載の衛生用薄葉紙収納容器。
【請求項５】
前記容器本体の外面には、衛生用薄葉紙を取り付ける取付部が備えられていることを特徴とする請求項１から４のいずれか一項に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床やトイレ、或いは人体などを拭くための衛生用薄葉紙を収納する衛生用薄葉紙収納容器が知られている。
このような衛生用薄葉紙収納容器として、当該収納容器の蓋体に設けられた孔部に、取出孔を備えた取出部を着脱可能に備え、この取出孔により衛生用薄葉紙に抵抗を掛けて、衛生用薄葉紙に設けられたミシン目にて衛生用薄葉紙を切り離す構成のものが知られている（例えば、特許文献１参照）。
【先行技術文献】
【特許文献】
【０００３】
【特許文献１】特開２０１２−１９２９６２号公報
【発明の概要】
【発明が解決しようとする課題】
【０００４】
このような衛生用薄葉紙収納容器においては、取出孔は容器上部の蓋体にのみ備えられており、ロール状の衛生用薄葉紙を使用することが予定されている。したがって、積層状の衛生用薄葉紙を使用する場合には、異なる形状の容器を別途用意する必要がある。
【０００５】
本発明の課題は、内部にロール状の衛生用薄葉紙又は積層状の衛生用薄葉紙のどちらを収納しても使用することができる衛生用薄葉紙収納容器を提供することである。
【課題を解決するための手段】
【０００６】
上記課題を解決するために、請求項１に記載の発明は、
衛生用薄葉紙を内部に収納する容器本体と、前記容器本体に着脱自在に取り付けられる蓋体と、を備える衛生用薄葉紙収納容器であって、
前記容器本体は、側面に第１孔部を有し、
前記容器本体内に収納された積層状の衛生用薄葉紙を取り出すための第１取出孔を有し、当該第１取出孔が前記第１孔部と重なるように前記容器本体に取り付けられる第１取出部を備え、
前記蓋体は、第２孔部を有し、
前記容器本体内に収納されたロール状の衛生用薄葉紙を取り出すための第２取出孔を有し、当該第２取出孔が前記第２孔部と重なるように前記蓋部に取り付けられる第２取出部を備えることを特徴とする。
本発明によれば、使用する衛生用薄葉紙がロール状であっても、積層状であっても、同一の容器を使用することができる。
【０００７】
請求項２に記載の発明は、請求項１に記載の衛生用薄葉紙収納容器において、
前記第１取出孔は、前記第２取出孔と比較して開口面積が広くなるように形成されていることを特徴とする。
本発明によれば、使用する衛生用薄葉紙が積層状の場合において、シートの引き出しが容易となる。
【０００８】
請求項３に記載の発明は、請求項２に記載の衛生用薄葉紙収納容器において、
前記第２取出孔は、一又は複数の切り込みによって形成されていることを特徴とする。
本発明によれば、使用する衛生用薄葉紙がロール状の場合において、シートの切断が容易となる。
【０００９】
請求項４に記載の発明は、請求項１から３のいずれか一項に記載の衛生用薄葉紙収納容器において、
前記容器本体の側面には、内側に変形可能な可塑部が形成されていることを特徴とする。
本発明によれば、使用する衛生用薄葉紙が積層状である場合に、衛生用薄葉紙と第１取出孔とが離れてしまい引き出し難くなることを防止できる。
【００１０】
請求項５に記載の発明は、請求項１から４のいずれか一項に記載の衛生用薄葉紙収納容器において、
前記容器本体の外面には、衛生用薄葉紙を取り付ける取付部が備えられていることを特徴とする。
本発明によれば、衛生用薄葉紙収納容器自体を清掃道具として使用することができる。
【発明の効果】
【００１１】
本発明によれば、内部にロール状の衛生用薄葉紙又は積層状の衛生用薄葉紙のどちらを収納しても使用することができる衛生用薄葉紙収納容器を提供することができる。
【図面の簡単な説明】
【００１２】
【図１】実施形態に係る衛生用薄葉紙収納容器の斜視図である。
【図２】図１に係る衛生用薄用紙収納容器にロール状の衛生用薄葉紙を収納した場合のII-II部における断面図である。
【図３】図１に係る衛生用薄用紙収納容器に積層状の衛生用薄葉紙を収納した場合のIII-III部における断面図である。
【図４】実施形態に係る衛生用薄葉紙収納容器の第１取出部の斜視図である。
【図５】実施形態に係る衛生用薄葉紙収納容器の第２取出部の斜視図である。
【図６】変形例１に係る衛生用薄葉紙収納容器の斜視図である。
【図７】変形例２に係る衛生用薄葉紙収納容器の斜視図である。
【発明を実施するための形態】
【００１３】
以下、本発明の実施形態である衛生用薄葉紙収納容器の具体的な態様について、図１から図７に基づいて説明する。ただし、本発明の技術的範囲は、図示例に限定されるものではない。
また、以下においては、便宜的に、図１に示したようにＸ軸、Ｙ軸及びＺ軸並びに前後方向、左右方向及び上下方向を定めて説明する。
【００１４】
（実施形態の構成）
（全体構成）
衛生用薄葉紙収納容器１００は、図１から図３に示すように、衛生用薄葉紙Ｐを内部に収納する容器部１と、容器部１に着脱自在に取り付けられる蓋部２と、から形成されている。
蓋部２が、容器部１に対して着脱自在に構成されているため、容器部１から蓋部２を取り外した状態で、容器部１の内部に衛生用薄葉紙Ｐを収納したり、内部から衛生用薄葉紙Ｐを取り出したりすることができる。
【００１５】
衛生用薄葉紙Ｐとしては、ロール状の衛生用薄葉紙Ｐ又は積層状の衛生用薄葉紙Ｐが使用される。
ロール状の衛生用薄葉紙Ｐは、長大なウェットシートやウェットティッシュがロール状に巻かれたものである。また、長さ方向に一定間隔をおいてミシン目が施されており、そのミシン目に沿って切り離した衛生用薄葉紙Ｐを、ユーザが使用するようになっている。
なお、衛生用薄葉紙Ｐの強度が低い場合においては、ミシン目を入れずに形成されたロール状の衛生用薄葉紙Ｐを用いることも可能である。
また、積層状の衛生用薄葉紙Ｐは、小型のウェットシートやウェットティッシュが交互に折り重ねられた状態で積層され、１枚のウェットシートやウェットティッシュを引き出した際に次のウェットシートやウェットティッシュも引き出されるように形成された、所謂ポップアップ式のシートである。
【００１６】
（容器部）
容器部１は、図１に示すように容器本体１１と、第１取出部１２と、第１小蓋１３と、から形成されている。
【００１７】
（容器本体）
容器本体１１は、衛生用薄葉紙Ｐを収納するための容器であり、ＰＥ（ポリエチレン）等の樹脂により、図１から図３に示すように前面１１１、後面１１２、上面１１３、下面１１４、左面１１５、右面１１６からなる略四角柱状に形成され、右面１１６が開放され開口部１１ａが形成されている。
なお、図２及び図３に示すように、容器本体１１の右端部においては、前面１１１、後面１１２、上面１１３及び下面１１４に段差が形成され、容器本体１１の外周が他の部分と比較して小さくなるように形成されている。
【００１８】
容器本体１１は、Ｘ軸方向80ｍｍ〜150ｍｍ、好ましくは100ｍｍ〜130ｍｍ、Ｙ軸方向140ｍｍ〜210ｍｍ、好ましくは160ｍｍ〜190ｍｍ、Ｚ軸方向80ｍｍ〜150ｍｍ、好ましくは100ｍｍ〜130ｍｍ、また、各面の厚み4ｍｍ〜10ｍｍ、好ましくは5ｍｍ〜7ｍｍに形成される。
【００１９】
（第１孔部）
第１孔部１１ｂは、図２に示すように、容器本体１１の前面１１１に設けられた円形の孔部であり、Ｘ軸方向から見て第１取出部１２よりわずかに小さく形成され、後述のように第１孔部１１ｂには第１取出部１２が固定される。
【００２０】
（可塑部）
容器本体１１の下面１１４には、図３に示すように可塑部１１ｃが形成されている。可塑部１１ｃは、衛生用薄葉紙Ｐが、容器本体１１内部において上下方向に積層されている場合に、これを持ち上げるために用いられる。
【００２１】
可塑部１１ｃは、例えば低密度ポリエチレン等の軟質な樹脂により、容器本体１１の他の部分と一体的に形成されており、下面側から手で押圧力を加えることで、容器本体１１の内側である上方に変形させることができる。なお、可塑部１１ｃは、上方に変形可能であるとともに、変形された状態において形状が維持され、内部の衛生用薄葉紙Ｐを支えることが可能な程度の強度を有するように形成される必要がある。
可塑部１１ｃは、Ｙ軸方向に100ｍｍ〜170ｍｍ、好ましくは120ｍｍ〜150ｍｍの長さを有する。可塑部１１ｃがＹ軸方向にこの長さを有することによって、入り枚数が少なくなった場合に、上下方向に積層されているシートを持ち上げて取り出しやすくできる。
また、可塑部１１ｃは、容器本体１１のＺ軸方向の高さの３分の２程度の高さまで持ち上げることができるように形成されることが望ましい。可塑部１１ｃをＺ軸方向にこの高さまで持ち上げることができることによって、入り枚数が少なくなった場合に、上下方向に積層されているシートを持ち上げて取り出しやすくできる。
【００２２】
（取付部）
容器本体１１の前面１１１の上部及び後面１１２の上部には、図１に示すように、衛生用薄葉紙Ｐを取り付けることができる取付部１１ｄ、１１ｄが形成されている。取付部１１ｄ、１１ｄは、例えば面ファスナー等により形成され、容器本体１１の前面１１１上部、上面１１３、及び後面１１２上部を覆うように、衛生用薄葉紙Ｐを容器本体１１に固定することができる。
なお、取付部１１ｄ、１１ｄが形成される位置としては、第１孔部１１ｂを避けて容器本体１１に衛生用薄葉紙Ｐを取り付けられればよく、上記の配置には限られない。
取付部１１ｄは、Ｙ軸方向に100ｍｍ〜170ｍｍ、好ましくは120ｍｍ〜150ｍｍの長さを有するように形成される。
【００２３】
（第１取出部）
第１取出部１２は、図１に示すように正面視円形となる略円柱状に形成された弾性変形可能な部材であり、図４に示すように凹部１２ａと、括れ部１２ｂと、第１取出孔１２ｃと、を備えている。また第１取出部１２は、Ｘ軸方向からみて直径20ｍｍ〜40ｍｍ、好ましくは25ｍｍ〜30ｍｍの、第１孔部１１ｂより僅かに大きい円形となり、また、Ｘ軸方向の厚みは、凹部１２ａを除いて3ｍｍ〜10ｍｍ、好ましくは5ｍｍ〜7ｍｍとなるように形成されている。
【００２４】
第１取出部１２は、例えばシリコンゴムにより成型されてなる弾性変形可能な部材である。第１取出部１２の材料としては、シリコンゴムの他、軟質樹脂材料であるスチレン−ブタジエン系、ポリエステル系、ポリエチレン系、ウレタン系等の熱可塑性エラストマー、その他の任意の樹脂材料を用いることができる。
【００２５】
（凹部）
凹部１２ａは、第１取出部１２の前側において、周縁部を残して、正面視円形状に後方に向けて凹状となるように形成されている。また、凹部１２ａは、その底面が平面となるように形成されている。
【００２６】
（括れ部）
括れ部１２ｂは、略円柱状の第１取出部１２の側面の前後方向略中央部を周方向に沿って周回するようにして、径方向に凹んだ溝状に形成されている。上記のように第１取出部１２は、正面視において第１孔部１１ｂより僅かに大きく形成されているため、この括れ部１２ｂに第１孔部１１ｂの縁を嵌め込むことによって、第１取出部１２を容器本体１１に固定することが可能となる。
なお、第１取出部１２の容器本体１１に対する固定方法は上記に限られず、第１取出部１２を、第１取出孔１２ｃが第１孔部１１ｂに重なる位置において固定可能であれば、任意の方法を用いることができる。
【００２７】
（第１取出孔）
第１取出孔１２ｃは、容器本体１１の内部に収納された衛生用薄葉紙Ｐが積層状である場合にこれを取り出すための孔であり、凹部１２ａの底面の略中央に形成される。
【００２８】
第１取出孔１２ｃの形状としては、積層状の衛生用薄葉紙Ｐを取り出すことが可能であれば任意の形状を採用可能であるが、積層状の衛生用薄葉紙Ｐを取り出す場合においては、ロール状の衛生用薄葉紙Ｐの場合と異なり、第１取出孔１２ｃにおいてシートを切り離す必要はないため、衛生用薄葉紙Ｐに強い抵抗を掛ける必要はない。また、各シートが接合されていない積層状の衛生用薄葉紙Ｐにおいては、第１取出孔１２ｃの抵抗が強過ぎると、使用するシートの次のシートが引き出され難くなり、かえって使い難くなる可能性がある。
したがって、シートの取り出し易さを重視して、後述の第２取出孔２２ｃと比較して広い開口面積を有するように形成されていることが望ましく、具体的には、例えば、直径8ｍｍ〜20ｍｍ、好ましくは10ｍｍ〜16ｍｍの円形の孔として形成されている。
【００２９】
（第１小蓋）
第１小蓋１３は、図１に示すように、一方の底面に開口部１３ａが設けられた略円柱状の部材であり、例えば容器本体１１と同様ＰＥ（ポリエチレン）等の樹脂により形成されている。開口部１３ａの内径は、第１取出部１２の正面視における外径と同一か、ごく僅かに大きくなるように形成されており、第１小蓋１３を、第１取出部１２の容器本体１１の外部に露出した部分に嵌めることで、第１取出部１２を覆い、第１取出孔１２ｃを閉塞することができるように形成されている。
【００３０】
第１小蓋１３は、図１に示すように、コード部材１３ｂによって容器本体１１の所定の位置に接続されている。これによって、第１取出孔１２ｃの開放時においても、第１小蓋１３が完全には分離されず、その紛失を防ぐことができる。なお、コード部材１３ｂの容器本体１１への固定位置は、取付部１１ｄへの衛生用薄葉紙Ｐの取り付けの妨げとならない位置とする必要がある。
【００３１】
なお、第１小蓋１３の構成は上記のものに限られず、第１取出孔１２ｃを閉塞することができるものであれば、任意の構成を採用可能である。また、収納する衛生用薄葉紙Ｐが薬液等を染み込ませたウェットシートではなく、乾燥を防ぐ必要がないドライシートの場合には、第１小蓋１３を設けなくてもよい。
【００３２】
（蓋部）
蓋部２は、図１に示すように、蓋本体２１と、第２取出部２２と、第２小蓋２３と、から形成されている。
【００３３】
（蓋本体）
蓋本体２１は、容器本体１１の開口部１１ａを閉塞するためのものであり、ＰＥ（ポリエチレン）等の樹脂により、図１から図３に示すように前面２１１、後面２１２、上面２１３、下面２１４、左面２１５、右面２１６からなる略四角柱状に形成され、左面２１５が開放され開口部２１ａが形成されている。
開口部２１ａは、内周が容器本体１１の右端部のＸＺ平面における外周と同一か、ごく僅かに大きくなるように形成されており、容器本体１１の右端部を蓋本体２１の開口部２１ａに嵌め込むことで、容器部１に蓋部２を着脱自在に固定できるようになっている。
なお、上記の通り、図２及び図３に示すように、容器本体１１の右端部においては、前面１１１、後面１１２、上面１１３及び下面１１４に段差が形成され、外周が他の部分と比較して小さくなるように形成されているため、各面が略面一となるように、容器本体１１に蓋本体２１を取り付けることができる。
【００３４】
蓋本体２１は、Ｘ軸方向及びＺ軸方向の長さは容器本体１１と略同一となり、またＹ軸方向15ｍｍ〜50ｍｍ、好ましくは20ｍｍ〜40ｍｍとなるように形成されている。
【００３５】
（第２孔部）
第２孔部２１ｂは、図２に示すように、蓋本体２１の右面２１６に設けられた円形の孔部であり、Ｙ軸方向から見て第２取出部２２より僅かに小さく形成され、後述のように第２孔部２１ｂには第２取出部２２が固定される。
【００３６】
（第２取出部）
第２取出部２２は、図１に示すように側面視円形となる略円柱状に形成された弾性変形可能な部材であり、図５に示すように凹部２２ａと、括れ部２２ｂと、第２取出孔２２ｃと、を備えている。また第２取出部２２は、Ｙ軸方向からみて直径20ｍｍ〜40ｍｍ、好ましくは25ｍｍ〜30ｍｍの、第２孔部２１ｂより僅かに大きい円形となり、また、Ｙ軸方向の厚みは、凹部２２ａを除いて3ｍｍ〜10ｍｍ、好ましくは5ｍｍ〜7ｍｍとなるように形成されている。
【００３７】
第２取出部２２は、例えばシリコンゴムにより成型されてなる弾性変形可能な部材である。第２取出部２２の材料としては、シリコンゴムの他、軟質樹脂材料であるスチレン−ブタジエン系、ポリエステル系、ポリエチレン系、ウレタン系等の熱可塑性エラストマー、その他の任意の樹脂材料を用いることができる。
【００３８】
（凹部）
凹部２２ａは、第２取出部２２の右側において、周縁部を残して、側面視円形状に左方向に向けて凹状となるように形成されている。また、凹部２２ａは、その底面が平面となるように形成されている。
【００３９】
（括れ部）
括れ部２２ｂは、略円柱状の第２取出部２２の側面の左右方向略中央部を周方向に沿って周回するようにして、径方向に凹んだ溝状に形成されている。上記のように第２取出部２２は、側面視において第２孔部２１ｂより僅かに大きく形成されているため、この括れ部２２ｂに第２孔部２１ｂの縁を嵌め込むことによって、第２取出部２２を蓋本体２１に固定することが可能となる。
なお、第２取出部２２の蓋本体２１に対する固定方法は上記に限られず、第２取出部２２を、第２取出孔２２ｃが第２孔部２１ｂに重なる位置において固定可能であれば、任意の方法を用いることができる。
【００４０】
（第２取出孔）
第２取出孔２２ｃは、容器本体１１の内部に収納された衛生用薄葉紙Ｐがロール状である場合にこれを取り出すための孔であり、凹部２２ａの底面の略中央に形成される。
【００４１】
第２取出孔２２ｃは、後述のようにロール状の衛生用薄葉紙Ｐを取り出すと共にこれに抵抗を掛けて切断するために用いられるものであるため、第１取出孔１２ｃと比較して開口面積が狭く、衛生用薄葉紙Ｐに強い抵抗を掛けられるものであることが望ましい。具体的には、第２取出孔２２ｃの開口面積は、第１取出孔１２ｃの開口面積の80％〜90％、好ましくは、85％〜88%となるように形成される。
したがって、例えば、図５に示すように２本の切り込みを十字状に入れることにより形成される。この場合、切り込みの長さは、7ｍｍ〜13ｍｍ、好ましくは8ｍｍ〜10ｍｍに形成される。
なお、図５においては２本の切り込みによって十字状に第２取出孔２２ｃを形成した場合について図示したが、これより少数又は多数の切り込みによって第２取出孔２２ｃを形成してもよい。
【００４２】
（第２小蓋）
第２小蓋２３は、図１に示すように一方の底面に開口部２３ａが設けられた略円柱状の部材であり、例えば蓋本体２１と同様ＰＥ（ポリエチレン）等の樹脂により形成されている。開口部２３ａの内径は、第２取出部２２の側面視における外径と同一か、ごく僅かに大きくなるように形成されており、第２小蓋２３を、第２取出部２２の蓋本体２１の外部に露出した部分に嵌めることで、第２取出部２２を覆い、第２取出孔２２ｃを閉塞することができるように形成されている。
【００４３】
第２小蓋２３は、図１に示すように、コード部材２３ｂによって蓋本体２１の所定の位置に接続されている。これによって、第２取出孔２２ｃの開放時においても、第２小蓋２３が完全には分離されず、その紛失を防ぐことができる。
【００４４】
なお、第２小蓋２３の構成は上記のものに限られず、第２取出孔２２ｃを閉塞することができるものであれば、任意の構成を採用可能である。また、収納する衛生用薄葉紙Ｐが薬液等を染み込ませたウェットシートではなく、乾燥を防ぐ必要がないドライシートの場合には、第２小蓋２３を設けなくてもよい。
【００４５】
（実施形態の効果）
本実施形態によれば、まず、ロール状の衛生用薄葉紙Ｐを使用する場合には、容器部１から蓋部２を取り外した上で、図２に示すように、衛生用薄葉紙Ｐを左右方向に沿った軸心にロール状に巻かれた状態となるように容器本体１１内に収納する。そして、ロール状の衛生用薄葉紙Ｐの中央部（内周側）から端部を引き出した上で、衛生用薄葉紙収納容器１００内部側から、衛生用薄葉紙Ｐを、第２取出部２２に形成された第２取出孔２２ｃに通し、再び蓋部２を容器部１に固定する。これによって、内部に収納された衛生用薄葉紙Ｐの端部は、第２取出孔２２ｃを挿通し、第２取出孔２２ｃにより保持された状態となる。
この後は、衛生用薄葉紙Ｐの使用の際には、使用者は、第２取出孔２２ｃにより保持された衛生用薄葉紙Ｐを右方に引っ張ることで、衛生用薄葉紙Ｐを引き出した後、第２取出孔２２ｃによる抵抗を利用して、衛生用薄葉紙Ｐを切り離し、これを使用することができる。この際、衛生用薄葉紙Ｐの端部は第２取出孔２２ｃによって保持されており、連続した使用が可能となる。
【００４６】
次に、積層状の衛生用薄葉紙Ｐを使用する場合には、容器部１から蓋部２を取り外した上で、図３に示すように、衛生用薄葉紙Ｐを上下方向に積層された状態となるように容器本体１１内に収納する。そして、最上部の衛生用薄葉紙Ｐを引き出した上で、衛生用薄葉紙収納容器１００内部側から、衛生用薄葉紙Ｐを、第１取出部１２に形成された第１取出孔１２ｃに通し、再び蓋部２を容器部１に固定する。これによって、容器本体１１内部に積層された衛生用薄葉紙Ｐのうち最上部のものの端部は、第１取出孔１２ｃを挿通し、第１取出孔１２ｃにより保持された状態となる。
この後は、衛生用薄葉紙Ｐの使用の際には、使用者は、第１取出孔１２ｃにより保持された衛生用薄葉紙Ｐを前方に引っ張ることで、衛生用薄葉紙Ｐを引き出して使用する。この際、衛生用薄葉紙Ｐは、所謂ポップアップ式となるように交互に折り重ねられた状態で積層されているため、衛生用薄葉紙Ｐを引き出す際には、次の衛生用薄葉紙Ｐも第１取出孔１２ｃから突出する位置まで引き出され、第１取出孔１２ｃに保持された状態となることから、連続した使用が可能となる。
【００４７】
このように、本実施形態に係る衛生用薄葉紙収納容器１００によれば、使用する衛生用薄葉紙Ｐがロール状であっても、積層状であっても、同一の容器を使用することが可能となる。
【００４８】
また、衛生用薄葉紙Ｐが積層状である場合に用いられる第１取出孔１２ｃと、衛生用薄葉紙Ｐがロール状である場合に用いられる第２取出孔２２ｃと、が区別され、第１取出孔１２ｃが第２取出孔２２ｃと比較して広い開口面積を有するように形成されているため、衛生用薄葉紙Ｐが積層状である場合の引き出しの容易性と、衛生用薄葉紙Ｐがロール状である場合の切断の容易性を両立することができる。
【００４９】
また、本実施形態によれば、収納する衛生用薄葉紙Ｐが積層状である場合に、その量が減少してきた場合には、可塑部１１ｃに対し容器本体１１内側に向けて押圧力を加えることで、これを容器本体１１内側に向けて変形させることができる。
これによって、収納する衛生用薄葉紙Ｐが減少した場合においても、可塑部１１ｃを容器本体１１内側に変形させることで、収納された衛生用薄葉紙Ｐを第１取出孔１２ｃに近づけることができ、衛生用薄葉紙Ｐと第１取出孔１２ｃが離れてしまい引き出し難くなることを防止できる。
【００５０】
また、衛生用薄葉紙収納容器１００の容器本体１１には、２か所の取付部１１ｄ、１１ｄが設けられている。したがって、取付部１１ｄ、１１ｄに、取出した衛生用薄葉紙Ｐを固定することで、容器本体１１の外面に衛生用薄葉紙Ｐを固定することができ、衛生用薄葉紙収納容器１００自体を清掃道具として使用することができる。
【００５１】
（変形例）
上記実施形態においては、容器本体１１及び蓋本体２１を略四角柱状に形成した場合について説明したが、容器本体及び蓋本体の形状はこれに限られず、任意の多角形を底面とする角柱状に形成することが可能である。また、円柱状に形成することも可能である。
例えば、図６に示した変形例１に係る衛生用薄葉紙収納容器１００Ａのように、容器部１Ａの容器本体１１Ａ及び蓋部２Ａの蓋本体２１Ａを略五角柱状に形成してもよく、図７に示した変形例２に係る衛生用薄葉紙収納容器１００Ｂのように、容器部１Ｂの容器本体１１Ｂ及び蓋部２Ｂの蓋本体２１Ｂを略六角柱状に形成してもよい。
【００５２】
また、上記実施形態においては、可塑部１１ｃが下面１１４に形成された場合について説明したが、可塑部１１ｃは、容器本体１１の側面のうち、第１孔部１１ｂと重ならない位置であれば、他の部分に形成することもでき、また、複数の部分に形成してもよい。
可塑部１１ｃを、後面１１２に形成した上で、衛生用薄葉紙Ｐを、前後方向に積層されるように収納して使用すれば、第１孔部１１ｂが形成された前面１１１に向けて衛生用薄葉紙Ｐを近づけることが可能となる。
また、上面１１３に可塑部１１ｃを設けた場合においては、上方から衛生用薄葉紙Ｐを抑えることで、これを第１取出孔１２ｃに近づけることが可能となる。
【００５３】
なお、上記の説明においては、便宜的に、前後方向、左右方向及び上下方向を定めて説明したが、当該方向は固定的なものではなく、衛生用薄葉紙収納容器を任意の方向に回転させて使用することも可能である。
【符号の説明】
【００５４】
１００、１００Ａ、１００Ｂ  衛生用薄葉紙収納容器
１、１Ａ、１Ｂ  容器部
１１、１１Ａ、１１Ｂ  容器本体
１１１  前面（側面）
１１２  後面（側面）
１１３  上面（側面）
１１４  下面（側面）
１１ｂ  第１孔部
１１ｃ  可塑部
１１ｄ  取付部
１２  第１取出部
１２ｃ  第１取出孔
２、２Ａ、２Ｂ  蓋部
２１、２１Ａ，２１Ｂ  蓋本体（蓋体）
２１ｂ  第２孔部
２２  第２取出部
２２ｃ  第２取出孔
Ｐ  衛生用薄葉紙
【図１】
2018140812.tif 000003
【図２】
2018140812.tif 000004
【図３】
2018140812.tif 000005
【図４】
2018140812.tif 000006
【図５】
2018140812.tif 000007
【図６】
2018140812.tif 000008
【図７】
2018140812.tif 000009